(57)【要約】      （修正有）【課題】一枚の台紙上に組み込まれた係止受け片で写真が固定保持できる、簡単な構成のフォトフレームを提供する。【解決手段】プラスチック薄板または板紙を所定寸法の方形に形成した台紙２上に、その台紙２の各辺から所定寸法内側位置で、一辺につき少なくとも１個所に、中央に向かって開く係止受け片３を、基部を残して台紙２から起き上がるようにそれぞれ設け、係止受け片３によって表示する写真１０を保持させるように構成した。【選択図】図１
0003203280.tif 000002
【実用新案登録請求の範囲】
【請求項１】
プラスチック薄板または板紙を所定寸法の方形に形成した台紙上に、その台紙の各辺から所定寸法内側位置で、一辺につき少なくとも１個所に、中央に向かって開く係止受け片を、基部を残して台紙から起き上がるようにそれぞれ設け、前記係止受け片によって表示する写真を保持させるようにしたことを特徴とするフォトフレーム。
【請求項２】
前記係止受け片は、基部を台紙に残して凸型に切線で切り離されて台紙に対して表裏両方向に可動なようにされ、所定寸法離れて対向するように設けられ、前記基部を基点として先端部を台紙面から引き起こすことにより、可動する先端部で台紙上においた被表示物を挟み込んで固定保持できる構成である請求項１に記載のフォトフレーム。
【請求項３】
前記台紙は、長辺方向の中間位置で内折目線に沿って二つ折りできるようにし、その折目線を介して両側にそれぞれ所定寸法離して上下左右に前記係止受け片を先端部が相対向するように設けた構造とする請求項１または２に記載のフォトフレーム。
【考案の詳細な説明】
【技術分野】
【０００１】  本考案は、写真を飾るためのフォトフレームに関するものであり、壁面に取り付ける、あるいはスタンドを利用して机などの上に立てかけるなど、任意の支持条件で飾ることができる至極簡単な構成で、表示効果を高めることができる一枚の板からなるものである。
【背景技術】
【０００２】  従来、例えば写真を飾るには、主に木枠にてなる額縁を備えてその内側に表面にガラス板が嵌められたものにして、そのガラス板の背後に写真を納め、裏板で写真の背後から裏蓋で閉じた状態にし、額縁部分を紐で吊下げるか背面から支持板を配して机などの上に支持するようなフォトスタンド、あるいはフォトフレームが汎用されている。【０００３】  前述の額縁を備える形式よりも簡易化したフォトフレームとしては、写真を壁などに貼り付けるようにして飾る形式として、透明または半透明なシートの裏面に写真が受け入れられる空白部を備え、輪郭部に感圧接着剤層を設けたステッカーフォトフレームが、特許文献１によって知られている。【０００４】  また、所要形状の窓部を備えた表面板と裏面板との間に写真を挿入して保持させるサンドイッチ構造にした薄型のフォトフレームが、特許文献２によって知られている。このほかに、透明の薄いシート上に写真の外形寸法に応じて、その写真の四隅を差し込む切込みを配設した構造とし、そのシートの背後に一部を切り込んで後方に開くと支持脚となる構造としたフォトフレームが特許文献３によって開示されている。【０００５】  しかし、前記特許文献１によって知られるフォトフレームは、ステッカーのように壁面などに貼り付けて飾るものであるから、写真を窓部に嵌め込んで対象となる個所、例えば壁面に貼り付けると、そのままいつまでも維持されることになり、変わりの写真と入れ替えるには貼着部を剥がさなければならない。当然貼着してあった個所に貼り跡が残り、再びフレームを貼り付ける際、接着機能が有効に作用するとは限らない。したがって、時々写真を入れ替えて使用するには不都合なものである。また、写真の前面には透明なフイルムが取り付けられているとしても、時間の経過とともに透明度が低下するので写真の視認性が低下するという問題点もある。【０００６】  また、前記特許文献２で知られるサンドウイッチ構造のものでは窓付きのシートと裏面シート及び写真を受け入れるためのスペーサーとなるスペースシートとの三種類のシートを必要とし、これら三枚のシートをその一辺を残して周縁部で貼り合わせることになるから、簡単なようであるが手数を要するものとなる。【０００７】  さらに、前記特許文献３によって知られるフォトフレームは、写真を枠で囲うことなく透明なフィルムに対して写真の四隅を差し込む切込みを設け、これらの切込みに隅角を差し込んで写真を固定保持するものであり、構造的にすこぶる簡単なものであるが、ベースとなるフィルムがしっかりしたものでないと撓むことによって差込み部分から写真が抜け出すなどの問題点がある。また、簡単であることから装飾性が乏しく、写真を飾って楽しむという趣味的効果に欠けるという問題点もある。
【先行技術文献】
【特許文献】
【０００８】
【特許文献１】  実開昭６１−１９４３７４号公報
【特許文献１】  登録実用新案第３１９５９０５号公報
【特許文献１】  実開平０４−９１７１号公報
【考案の開示】
【考案が解決しようとする課題】
【０００９】  本考案は、前述のような問題点を解消するためになされたもので、簡単な一枚のシートでもって台紙とし、その一部に掲示しようとする写真（もしくはカードなど）を固定保持できる係止部を複数個所で切り出して設け、合理的に写真等の掲示ができるようにしたフォトフレームを提供することを目的とするものである。
【課題を解決するための手段】
【００１０】  前記目的を達成するために、本考案によるフォトフレームは、
プラスチック薄板または板紙を所定寸法の方形に形成した台紙上に、その台紙の各辺から所定寸法内側位置で、一辺につき少なくとも１個所に、中央に向かって開く係止受け片を、基部を残して台紙から起き上がるようにそれぞれ設け、前記係止受け片によって表示する写真を保持させるようにしたことを特徴とするものである。【００１１】  前記考案において、前記係止受け片は、基部を台紙に残して凸型に切線で切り離されて台紙に対して表裏両方向に可動なようにされて、所定寸法離れて対向するように設けられ、前記基部を基点として先端部を台紙面から引き起こすことにより、弾性力で可動する先端部で台紙上においた被表示物を挟み込み固定保持できるように構成されているのがよい。また、本考案では、前記係止受け片として基部から先端部へ次第に細くなる形状とするのもよい。【００１２】  また、本考案の前記台紙は、長辺方向の中間位置で内折目線に沿って二つ折りできるようにし、その折目線を介して両側にそれぞれ所定寸法離して上下左右に前記係止受け片を先端部が相対向するように設けた構造とするのがよい。
【考案の効果】
【００１３】  本考案によれば、１枚の台紙上に上下左右でそれぞれ相対向して設けられた係止受け片先端部を起こして、掲示しようとする写真の四辺をそれぞれ台紙上に挟み込むようにすることで、別途テープやシールなど留め具を要することなく写真が台紙上に固定保持される。したがって、台紙の外形寸法を掲示しようとする写真の外形寸法よりやや大きい寸法にしておくことで、台紙上に保持された写真の周囲に台紙と掲示する写真との寸法差で余白部が形成され、その余白部分が額縁の役目を果たして掲示する写真の画像を引き立てる働きをする簡単にして合理的なフォトフレームである。そして、薄い台紙１枚で写真のフレームを構成するから、掲示に際して壁面に吊掛けたり、別途簡単なスタンドに載せて机などの上において飾ることができる。【００１４】  また、台紙を中間部で二つ折りできるようにして、その両側に写真を掲示する構造とすれば、折目線を境にして少し折り曲げることで机などの上に直接立掛けて飾ることができ、簡単にして効果大なるフォトフレームとすることができる。
【図面の簡単な説明】
【００１５】
【図１】本考案に係るフォトフレームの正面図である。
【図２】要部の拡大詳細図で、（ａ）は正面図、（ｂ）はｂ−ｂ視断面図である。
【図３】写真を取付けた状態を表す図である。
【図４】フォトフレームが二面に写真を取付けるようにした態様を表す図である。
【考案を実施するための最良の形態】
【００１６】  次に、本考案によるフォトフレームの具体的な実施の形態について、図面を参照しつつ説明する。【００１７】  この実施形態のフォトフレーム１は、プラスチックの薄板（例えば０．６ｍｍ）あるいは板紙で所定寸法の長方形に形成された台紙２と、この台紙２の図上、上下左右にそれぞれ相対向して配置される係止受け片３とで構成されている。【００１８】  前記係止受け片３は、図２で示されるように、台紙１の一部に切線５で基部３ａを残して凸型に切り込まれて形成されており、その基部３ａが平面視で比較的幅広にして自由端側に向かって内向き傾斜状に切り込まれ、平面視台形状にした主体部３ｂの中央位置で細幅の突片４が一体になって突き出し全体として凸型となる形状にされている。【００１９】  前記係止受け片３は、台紙１の各外辺から所定寸法（実施形態では２３ｍｍ、ただしこの数値に限定されない。）内側に基部３ａが位置するようにして左右、上下ともに相対向するようにして各辺の中間位置に設けてある。なお、各係止受け片３は前記台形状部分の端辺３ｃが掲示しようとする写真１０の外形寸法とほぼ合致するように設定されている。なお、各係止受け片３の外側位置には、それぞれ抜き孔８が設けてあり、台紙１を吊掛けたりする際に利用するようにしてある。【００２０】  このように構成される本実施形態のフォトフレーム１は、掲示する写真１０の大きさが例えばＡ判４号とすると、外形寸法が２１０×２９７ｍｍであるので、台紙１上に設けられた長辺方向の左右に位置する係止受け片３，３の主体部３ｂ端辺３ｃ，３ｃ間寸法を２１０ｍｍとしておき、短辺方向の上下に位置する係止受け片３，３の主体部３ｂ端辺３ｃ，３ｃ間寸法を２９７ｍｍとする。【００２１】  上述のように設定された台紙１に対して写真１０（この場合Ａ４判の写真を対象とする）を取付けるには、各係止受け片３を台紙１の裏面側から手指で表面側に押し上げるようにすると、基部３ａを基点にして切線５によって可動的にされた係止受け片３が表面側に起こされる（図２（ｂ）参照）。【００２２】  こうして各係止受け片３が起こされて主体部３ａと突片４が台紙１の表面より上に持ち上がって隙間Ｃが生じるので、この隙間Ｃに写真１０の端縁を差し込むと、前記係止受け片３は基部３ａが台紙１に繋がっているから元の位置に戻ろうとする復元力（弾性力）で、主体部３ａに繋がる突片４により差し込まれた写真１０の端縁が抑えられる。このようにして四方で写真１０の端縁が各位置の係止受け片３によって抑えられることにより、写真１０が台紙１上に固定される。【００２３】  こうして台紙１上に四辺を係止受け片３で固定保持された状態の写真１０は、各係止受け片３の突片４により切起こしによる弾性力で強力に固定されるが、前記突片４が細幅に形成されているので、写真１０の画面に支障を来すことなく小さなスペースで目的を果たすことになり、掲示する写真１０を台紙１に対して安定して保持させることができる。【００２４】  しかも、台紙１は掲示する写真１０の周囲に比較的幅広の余白部１ａを形成することになり、この周囲の余白部１ａが平面的ではあるが額縁状の様相を呈し、飾りつけたときに掲示した写真１０を引き立てる役目を果たすという利���がある。そして、この台紙１は厚さが薄いので、例えば壁面に沿わせて取付けると嵩張らず、自然な態様で掲示することができる。【００２５】  また、このフォトフレーム１壁面に対して取付けるには、台紙余白部１ａに設けた抜き孔８を利用してフックなどの金具によって吊掛けるようにする。あるいは抜き孔８を通じて押しピンで固定するようにしてもよい。さらに、公知の飾り受けなどで台紙を受け止めで机や棚などの上に飾るようにしてもよい。【００２６】  上記の説明では、Ａ４サイズの写真を掲示するものについて記載したが、台紙の寸法を小さくして、例えばＬ判サイズの写真を掲示するフォトフレームであっても、前記要領で適用できる。したがって、本考案の趣旨に即すれば、任意の寸法の写真に対して適用することができる。【００２７】  次に、図４で示されるのは、本考案による他の実施形態と二つ折りできる台紙で二面に写真を保持させることができるフォトフレーム１Ａである。【００２８】  このフォトフレーム１Ａは、例えばＬ判サイズの写真１０を二枚取付けて掲示できるものであり、二枚の写真１０を所定の間隔をおいて並べて保持でき、かつ周囲に余白部１ａがそれぞれ設けられる外形寸法にして１枚の台紙２を、その長辺方向の中間位置で内折目線６を付し、この内折目線６を境にして両側に、前記実施形態と同様の係止受け片３をそれぞれ上下左右に切線５で基部３ａを残して相対向するように切抜き、各係止受け片３の凸部に当たる突片４でもって飾り付ける写真１０を保持できるようにしたものである。【００２９】  このような構成にすることで、内折目線６を境にして両側の面にそれぞれ写真１０を保持させれば、内折目線６に沿って台紙２を少し内側に折り曲げることでテーブル上などに自立させて飾ることができる。したがって、二枚の異なる写真を例えば関係づけて取付ければ、印象を高めることができる。【００３０】  また、本考案のフォトフレームは、写真のみならず、他のカードなどを取り付けて掲示する、いわばカードホルダーに利用することもできる。したがって、前述の二枚掲示型の場合、一方に写真を、他方にその写真に関連する記事などを記載したカードを取付けて印象付けることもできる。【００３１】  以上の説明においては、係止受け片３として平面視凸型に形成されたもので説明したが、この形状に限定されるものではなく、例えば紡錘状、水滴型など可動先端部分が細幅で写真を弾性力で保持できる機能を備える形状であればよい。
【符号の説明】
【００３２】  １，１Ａ      フォトフレーム
１ａ    余白部
２      台紙
３      係止受け片
３ａ    係止受け片の基部
３ｂ    係止受け片の主体部
４      突片
５      切線
６      内折目線
８      抜き孔
１０    写真
【図１】
0003203280.tif 000003
【図２】
0003203280.tif 000004
【図３】
0003203280.tif 000005
【図４】
0003203280.tif 000006